【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
コンテンツアイテムの選択及び配信の方法であって、
リクエスト元からコンテンツアイテムに対するリクエストを受信する段階と、
１次データ格納部から適格な１次コンテンツアイテムを選択する段階と、
しきい価格を含むクエリを生成する段階と、
２次データ格納部から適格な２次コンテンツアイテムを選択する段階と、
選択した前記２次コンテンツアイテムに関連した実効支払い額と前記しきい価格とを比較する段階と、
選択した前記２次コンテンツアイテムに関連した前記実効支払い額と前記しきい価格との比較結果に基づいて、選択した前記１次コンテンツアイテム又は選択した前記２次コンテンツアイテムのうちの１つを前記リクエスト元に配信する段階と
を有することを特徴とする方法。
【請求項２】
前記しきい価格が、選択した前記１次コンテンツアイテムの実効支払い価値に等しいことを特徴とする請求項１に記載の方法。
【請求項３】
前記クエリが、選択した前記１次コンテンツアイテムに関連した表現物を含み、
選択した前記１次コンテンツアイテム又は選択した前記２次コンテンツアイテムのうちの１つを配信する段階が、選択した前記２次コンテンツアイテムに関連した前記実効支払い額よりも前記しきい価格が高額であった場合に、選択した前記１次コンテンツアイテムに関連した前記表現物を前記リクエスト元に配信する段階を含むことを特徴とする請求項１に記載の方法。
【請求項４】
前記クエリが、正味下限価格をさらに含み、
前記しきい価格が、前記正味下限価格に基づいて決定されることを特徴とする請求項３に記載の方法。
【請求項５】
前記１次データ格納部が、前記リクエストに関連したコンテンツの発行者によって運営される１次システムの一部分であることを特徴とする請求項１に記載の方法。
【請求項６】
前記２次データ格納部が、仲介者によって運営される２次システムの一部分であることを特徴とする請求項５に記載の方法。
【請求項７】
前記２次データ格納部が、仲介者によって運営される２次システムの一部分であることを特徴とする請求項１に記載の方法。
【請求項８】
前記２次システムが、コンテンツアイテム取引所であることを特徴とする請求項７に記載の方法。
【請求項９】
選択した前記１次コンテンツアイテムが、前記１次データ格納部中の複数の適格なコンテンツアイテムのうちで実効支払い価値が最も高いコンテンツアイテムであるとして選択されたものであることを特徴とする請求項１に記載の方法。
【請求項１０】
選択した前記１次コンテンツアイテムの実効支払い価値が、前記１次コンテンツアイテムが選択されるスペースの販売者への正味報酬を含むことを特徴とする請求項９に記載の方法。
【請求項１１】
選択した前記２次コンテンツアイテムが、前記２次データ格納部中の複数の適格なコンテンツアイテムのうちで実効支払い価値が最も高いコンテンツアイテムであるとして選択されたものであることを特徴とする請求項９に記載の方法。
【請求項１２】
選択した前記１次コンテンツアイテム又は選択した前記２次コンテンツアイテムのうちの少なくとも１つが広告であることを特徴とする請求項１に記載の方法。
【請求項１３】
選択した前記２次コンテンツアイテムの実効支払い価値が、コンテンツアイテムが選択されるスペースの販売者への正味報酬を含むことを特徴とする請求項１１に記載の方法。
【請求項１４】
適格な１次コンテンツアイテムを選択する段階が、いずれの１次コンテンツアイテムも適格ではないと判断する段階を含み、
前記しきい価格が、前記リクエストに含まれる下限価格に等しいことを特徴とする請求項１に記載の方法。
【請求項１５】
前記１次データ格納部が、第１仲介者によって運営される１次システムの一部分であり、
前記２次データ格納部が、第２仲介者によって運営される２次システムの一部分であることを特徴とする請求項１に記載の方法。
【請求項１６】
前記１次データ格納部が、１次システムの一部分であり、
前記２次データ格納部が、２次システムの一部分であり、
前記１次システム及び前記２次システムは、共有のハードウェア構成要素を具備することを特徴とする請求項１に記載の方法。
【請求項１７】
共有データ格納部が、前記１次データ格納部及び前記２次データ格納部であることを特徴とする請求項１に記載の方法。
【請求項１８】
前記１次データ格納部が、１次システムの一構成要素であり、
前記２次データ格納部が、２次システムの一構成要素であり、
前記１次システム及び前記２次システムは、共有のハードウェア構成要素を具備しないことを特徴とする請求項１に記載の方法。
【請求項１９】
コンテンツアイテムの選択及び配信のためのシステムであって、
１次コンテンツアイテムサーバと、
前記１次コンテンツアイテムサーバからアクセス可能であり、複数の１次コンテンツアイテムについての情報を有する１次データ格納部と、
２次コンテンツアイテムサーバと、
前記２次コンテンツアイテムサーバからアクセス可能であり、複数の２次コンテンツアイテムについての情報を有する２次データ格納部と
を具備し、
前記１次コンテンツアイテムサーバは、該１次コンテンツアイテムサーバによる実行時に、
リクエスト元からコンテンツアイテムに対するリクエストを受信する機能と、
前記１次データ格納部から適格な１次コンテンツアイテムを選択する機能と、
しきい価格を含むクエリを生成する機能と
を実現する複数の命令を格納し、
前記２次コンテンツアイテムサーバは、該２次コンテンツアイテムサーバによる実行時に、
前記２次データ格納部から適格な２次コンテンツアイテムを選択する機能と、
選択した前記２次コンテンツアイテムに関連した実効支払い額と前記しきい価格とを比較する機能と、
選択した前記２次コンテンツアイテムに関連した前記実効支払い額と前記しきい価格との比較結果に基づいて、選択した前記１次コンテンツアイテム又は選択した前記２次コンテンツアイテムのうちの１つを前記リクエスト元に配信する機能と
を実現する複数の命令を格納することを特徴とするシステム。
【請求項２０】
前記しきい価格が、選択した前記１次コンテンツアイテムの実効支払い価値に等しいことを特徴とする請求項１９に記載のシステム。
【請求項２１】
前記クエリが、選択した前記１次コンテンツアイテムに関連した表現物を含み、
選択した前記１次コンテンツアイテム又は選択した前記２次コンテンツアイテムのうちの１つを配信する機能が、選択した前記２次コンテンツアイテムに関連した前記実効支払い額よりも前記しきい価格が高額であった場合に、選択した前記１次コンテンツアイテムに関連した前記表現物を前記リクエスト元に配信する機能を含むことを特徴とする請求項１９に記載のシステム。
【請求項２２】
前記クエリが、正味下限価格をさらに含み、
前記しきい価格が、前記正味下限価格に基づいて決定されることを特徴とする請求項２１に記載のシステム。
【請求項２３】
前記１次データ格納部が、前記リクエストに関連したコンテンツの発行者によって運営される１次システムの一部分であることを特徴とする請求項１９に記載のシステム。
【請求項２４】
前記２次データ格納部が、仲介者によって運営される２次システムの一部分であることを特徴とする請求項２３に記載のシステム。
【請求項２５】
前記２次データ格納部が、仲介者によって運営される２次システムの一部分であることを特徴とする請求項１９に記載のシステム。
【請求項２６】
前記２次システムが、コンテンツアイテム取引所であることを特徴とする請求項２５に記載のシステム。
【請求項２７】
選択した前記１次コンテンツアイテムが、前記１次データ格納部中の複数の適格なコンテンツアイテムのうちで実効支払い価値が最も高いコンテンツアイテムであるとして選択されたものであることを特徴とする請求項１９に記載のシステム。
【請求項２８】
選択した前記１次コンテンツアイテムの実効支払い価値が、コンテンツアイテムが選択されるスペースの販売者への正味報酬を含むことを特徴とする請求項２７に記載のシステム。
【請求項２９】
選択した前記２次コンテンツアイテムが、前記２次データ格納部中の複数の適格なコンテンツアイテムのうちで実効支払い価値が最も高いコンテンツアイテムであるとして選択されたものであることを特徴とする請求項２７に記載のシステム。
【請求項３０】
選択した前記２次コンテンツアイテムの実効支払い価値が、コンテンツアイテムが選択されるスペースの販売者への正味報酬を含むことを特徴とする請求項２９に記載のシステム。
【請求項３１】
適格な１次コンテンツアイテムを選択する機能が、いずれの１次コンテンツアイテムも適格ではないと判断する機能を含み、
前記しきい価格が、前記リクエストに含まれる下限価格に等しいことを特徴とする請求項１９に記載のシステム。
【請求項３２】
前記１次データ格納部が、第１仲介者によって運営される１次システムの一部分であり、
前記２次データ格納部が、第２仲介者によって運営される２次システムの一部分であることを特徴とする請求項１９に記載のシステム。
【請求項３３】
前記１次データ格納部が、１次システムの一部分であり、
前記２次データ格納部が、２次システムの一部分であり、
前記１次システム及び前記２次システムは、共有のハードウェア構成要素を具備することを特徴とする請求項１９に記載のシステム。
【請求項３４】
共有データ格納部が、前記１次データ格納部及び前記２次データ格納部であることを特徴とする請求項１９に記載のシステム。
【請求項３５】
前記１次データ格納部が、１次システムの一構成要素であり、
前記２次データ格納部が、２次システムの一構成要素であり、
前記１次システム及び前記２次システムは、共有のハードウェア構成要素を具備しないことを特徴とする請求項１９に記載のシステム。
【請求項３６】
選択した前記１次コンテンツアイテム又は選択した前記２次コンテンツアイテムのうちの少なくとも１つが広告であることを特徴とする請求項１９に記載のシステム。
【請求項３７】
データ通信ネットワークを介したコンテンツアイテムの選択及び配信の方法であって、
リクエスト元からコンテンツアイテムに対するリクエストを受信する段階と、
１次コンテンツアイテムの１次データ格納部から、該１次データ格納部中の複数のコンテンツアイテムのうちで最も高い実効支払い価値を有する適格な１次コンテンツアイテムを選択する段階と、
しきい価格と選択した前記１次コンテンツアイテムか又はｎｕｌｌ参照かのいずれか一方とを含むクエリを生成する段階と、
２次コンテンツアイテムの２次データ格納部から、該２次データ格納部中の複数のコンテンツアイテムのうちで最も高い実効支払い価値を有する適格な２次コンテンツアイテムを選択する段階と、
選択した前記２次コンテンツアイテムが前記クエリに含まれた前記しきい価格よりも高い実効支払い価値を有する場合、前記２次コンテンツアイテムを前記リクエスト元に配信する段階と、
そうではない場合、
（ｉ）前記クエリが１次コンテンツアイテムを含む場合、前記１次コンテンツアイテムを前記リクエスト元に配信し、
（ｉｉ）前記クエリがｎｕｌｌ参照を含む場合、デフォルトコンテンツアイテム又はパスバックを前記リクエスト元に配信する段階と
を有することを特徴とする方法。
【請求項３８】
データ通信ネットワークを介してコンテンツアイテムを選択及び配信するためのシステムであって、
２次コンテンツアイテムサーバと、
前記２次コンテンツアイテムサーバからアクセス可能であり、複数の２次コンテンツアイテムを格納した２次データ格納部と、
を具備し、
前記２次コンテンツアイテムサーバは、１次システムの１次コンテンツアイテムサーバと通信を行い、
前記１次コンテンツアイテムサーバは、リクエスト元からコンテンツアイテムに対するリクエストを受信し、
前記２次コンテンツアイテムサーバは、該２次コンテンツアイテムサーバによる実行時に、
（ｉ）前記１次コンテンツアイテムサーバから、しきい価格と前記１次システムによって選択された１次コンテンツアイテムか又はｎｕｌｌ参照かのいずれか一方とを含むクエリを受信する手順と、
（ｉｉ）前記２次データ格納部から、最も高い実効支払い価値を有する適格な２次コンテンツアイテムを選択する手順と、
（ｉｉｉ）選択した前記２次コンテンツアイテムが前記クエリに含まれた前記しきい価格よりも高い実効支払い価値を有する場合、前記２次コンテンツアイテムを前記リクエスト元に配信する手順と、
（ｉｖ）そうではない場合、
（ｉ）前記クエリが１次コンテンツアイテムを含む場合、前記１次コンテンツアイテムを前記リクエスト元に配信し、
（ｉｉ）前記クエリがｎｕｌｌ参照を含む場合、デフォルトコンテンツアイテム又はパスバックを前記リクエスト元に配信する手順と
を実行するように構成された複数の命令を格納することを特徴とするシステム。
【請求項３９】
コンテンツアイテムの配信方法であって、
リクエスト元からコンテンツアイテムに対するリクエストを受信する段階と、
１次データ格納部から適格な１次コンテンツアイテムを選択する段階と、
２次データ格納部から適格な２次コンテンツアイテムを選択するために使用される選択基準を含むクエリを生成する段階と、
前記クエリを２次システムに転送する段階と、
選択した前記１次コンテンツアイテム又は前記選択基準に基づいて選択された２次コンテンツアイテムのうちの１つの選択の指示を受信する段階と
を有し、
前記選択基準は、選択した前記１次コンテンツアイテムに基づいて生成されることを特徴とする方法。